(57)【要約】      （修正有）【課題】充填材を配置し、振動吸収効果にすぐれ、構造強度を強化したテニスラケットを提供する。【解決手段】テニスラケットは、パイプ部材およびアーチ部を備える。パイプ部材は第一管体１１および第二管体１２を有する。第一管体および第二管体はそれぞれ握り部１１１、１２１、ネック部１１２、１２２および枠部１１３、１２３を有する。パイプ部材はさらに内部に二つのスペーサーを有する。二つのスペーサーはパイプ部材の内部を第一、第二チャンバーおよび中央チャンバーに分割する。第一、第二チャンバーは充填材で充填される。アーチ部は空洞がないソリッド構造であり、パイプ部材の二つの枠部を連結する。握り部は、相互に間隔を保ち、帯状連結部材１８により一体連結される。ラケット全体の構造強度を効果的に強化し、填充剤で振動吸収効果を果たすことができる。【選択図】図３
0003221292.tif 000002
【実用新案登録請求の範囲】
【請求項１】
仮説の中軸線を有し、パイプ部材およびアーチ部を備え、
前記パイプ部材は一体に連結されて前記中軸線の両側に位置する第一管体および第二管体を有し、前記第一管体は第一握り部、第一ネック部および第一枠部を有し、前記第一ネック部は一端が前記第一握り部に連結され、一端が前記第一枠部に連結され、前記第二管体は第二握り部、第二ネック部および第二枠部を有し、前記第二ネック部は一端が前記第二握り部に連結され、一端が前記第二枠部に連結され、前記第一握り部および前記第二握り部は前記中軸線に沿って直線状に伸び、相互に連結され、前記第一枠部は前記第一握り部と反対側の一端が前記第二枠部の前記第二握り部と反対側の一端に連結され、
前記アーチ部は一端が前記第一枠部に連結され、一端が前記第二枠部に連結され、
前記パイプ部材は、さらに外側壁面、内側壁面、内部に形成された第一スペーサーおよび第二スペーサーを有し、前記第一スペーサーおよび前記第二スペーサーは一端が前記外側壁面に連結され、一端が前記内側壁面に連結されることによって前記パイプ部材の内部を中央チャンバー、第一チャンバーおよび第二チャンバーを分割し、前記第一チャンバーおよび前記第二チャンバーは前記中央チャンバーの相対する両側に位置し、充填材で充填されることを特徴とする充填材が配置してあるテニスラケット。
【請求項２】
前記アーチ部は空洞がないソリッド構造であることを特徴とする請求項１に記載の充填材が配置してあるテニスラケット。
【請求項３】
さらに帯状連結部材を備え、
前記第一握り部および前記第二握り部は相互に間隔を保つように配置され、前記帯状連結部材によって連結されて一体になるため、前記第一握り部と前記第二握り部の間に隙間が形成されることを特徴とする請求項１に記載の充填材が配置してあるテニスラケット。
【請求項４】
前記帯状連結部材は階段状構造であり、第一部位および第二部位を有し、前記第一部位は前記第一ネック部および前記第二ネック部の近くに配置され、前記第二部位は前記第一ネック部および前記第二ネック部から離れるように配置され、一部分が前記第一握り部および前記第二握り部の内側壁面に連結されることを特徴とする請求項３に記載の充填材が配置してあるテニスラケット。
【請求項５】
前記帯状連結部材の前記第一部位は前記第一ネック部および前記第二ネック部の表面に並んで揃うように配置されることを特徴とする請求項４に記載の充填材が配置してあるテニスラケット。
【請求項６】
前記第一握り部の前記内側壁面は前記第二握り部の前記内側壁面に連結されることを特徴とする請求項１に記載の充填材が配置してあるテニスラケット。
【考案の詳細な説明】
【技術分野】
【０００１】
本考案は国際分類A63B49/00として表示されるテニスラケットに関し、詳しくは充填材が配置してあるテニスラケットに関するものである。
【背景技術】
【０００２】
現今、繊維補強材を採用したテニスラケットを軽量化するために中空環状に製作されるテニスラケットのフレームのヘッドは長期にわたり構造が比較的弱いという問題を抱えている。特にテニスラケットを振ってプレイする時、フレームのヘッドは衝撃を受けて損壊してしまう可能性がある。一方、ガットを張る時に使用する張力は強さ即ちポンドが非常に大きい。特にテニス選手に求められた張力の強さが増大する傾向があるため、フレームのヘッドは耐える張力の強さがさらに大きくなり、変形が起こりやすくなるだけでなく、テニスラケットの強度が足りないという問題がさらに著しくなる。
【考案の概要】
【考案が解決しようとする課題】
【０００３】
本考案は、構造強度を強化できるテニスラケットを提供することを主な目的とする。
【課題を解決するための手段】
【０００４】
上述した課題を解決するため、充填材が配置してあるテニスラケットは、仮説の中軸線を有し、パイプ部材およびアーチ部を備える。パイプ部材は一体に連結されて中軸線の両側に位置する第一管体および第二管体を有する。第一管体は第一握り部、第一ネック部および第一枠部を有する。第一ネック部は一端が第一握り部に連結され、一端が第一枠部に連結される。第二管体は第二握り部、第二ネック部および第二枠部を有する。第二ネック部は一端が第二握り部に連結され、一端が第二枠部に連結される。第一握り部および第二握り部は中軸線に沿って直線状に伸び、相互に連結される。第一枠部は第一握り部と反対側の一端が第二枠部の第二握り部と反対側の一端に連結される。アーチ部は空洞がないソリッド構造であり、一端が第一枠部に連結され、一端が第二枠部に連結される。パイプ部材はさらに外側壁面、内側壁面、内部に形成された第一スペーサーおよび第二スペーサーを有する。第一スペーサーおよび第二スペーサーは一端が外側壁面に連結され、一端が内側壁面に連結されることによってパイプ部材の内部を中央チャンバー、第一チャンバーおよび第二チャンバーを分割する。第一チャンバーおよび第二チャンバーは中央チャンバーの相対する両側に位置し、充填材で充填される。
【０００５】
上述した構造特徴により、パイプ部材の全体は一体に製作され、テニスラケット全体の構造強度を強化する。第一スペーサーおよび第二スペーサーは同時にパイプ部材の外側壁面および内側壁面に連結されてパイプ部材の全体構造を強化するため、第一枠部および第二枠部は張力の大きいガットに耐えることができる。
【０００６】
テニスラケットはさらに帯状連結部材を備える。第一握り部および第二握り部は相互に間隔を保って隙間を形成し、かつ帯状連結部材によって連結されて一体になる。隙間によって第一握り部と第二握り部にハンドルスリーブを被せる利便性をはかることができる。
【０００７】
帯状連結部材は階段状構造であり、第一部位および第二部位を有する。第一部位は第一ネック部および第二ネック部の近くに配置される。第二部位は第一ネック部および第二ネック部から離れるように配置され、一部分が第一握り部および第二握り部の内側壁面に連結される。上述した階段状構造の帯状連結部材によって第一握り部および第二握り部にハンドルスリーブを緊密に被せることができる。
【０００８】
帯状連結部材の第一部位は第一ネック部および第二ネック部の表面に並んで揃うように配置される。
【０００９】
第一握り部の内側壁面は第二握り部の内側壁面に接続されるため、同様に第一握り部および第二握り部にハンドルスリーブを被せることができる。
【００１０】
本考案によるテニスラケットの詳細な構造、特徴、組み立てまたは使用方法は、以下の実施形態の詳細な説明を通して明確にする。また、以下の詳細な説明および本考案により提示された実施形態は本考案を説明するための一例に過ぎず、本考案の請求範囲を限定できないことは、本考案にかかわる領域において常識がある人ならば理解できるはずである。
【図面の簡単な説明】
【００１１】
【図１】本考案の第１実施形態によるテニスラケットを示す斜視図である。
【図２】本考案の第１実施形態によるテニスラケットの一部分を示す分解斜視図である。
【図３】本考案の第１実施形態によるテニスラケットのハンドルスリーブを取り外した状態を示す平面図である。
【図４】図３の４−４線に沿った断面図である。
【図５】図３の５−５線に沿った断面図である。
【図６】図３の６−６線に沿った断面図である。
【図７】図３の７−７線に沿った断面図である。
【図８】本考案の第２実施形態によるテニスラケットの第一握り部および第二握り部を示す横断面図である。
【考案を実施するための形態】
【００１２】
以下、本考案によるテニスラケットを図面に基づいて説明する。
【００１３】
（第1実施形態）
図１から図３に示すように、本考案の第１実施形態によるテニスラケット１はパイプ部材１０、アーチ部２０およびハンドルスリーブ３０を備える。テニスラケット１は仮説の中軸線Ａを有し、全体構造が中軸線Ａを中心に左右対称になる。続いて説明の便をはかるために以下の方向用語「内」は中軸線Ａに近いことである。方向用語「外」は中軸線Ａから離れることである。
【００１４】
パイプ部材１０は、繊維強化樹脂から製作される。繊維は炭素繊維、ホウ素繊維、ガラス繊維または芳香族ポリアミド系樹脂（商標登録KEVLAR）などである。樹脂は熱可塑性樹脂または熱硬化性樹脂である。パイプ部材１０は一体になる第一管体１１および第二管体１２を有する。第一管体１１および第二管体１２は中軸線Ａの両側に位置し、中軸線Ａを中心にして左右対称になる。図３に示すように、第一管体１１は第一握り部１１１、第一ネック部１１２および第一枠部１１３を有する。第一ネック部１１２は一端が第一握り部１１１に連結され、一端が第一枠部１１３に連結される。第二管体１２は第二握り部１２１、第二ネック部１２２および第二枠部１２３を有する。第二ネック部１２２は一端が第二握り部１２１に連結され、一端が第二枠部１２３に連結される。第一枠部１１３は第一握り部１１１と反対側の一端が第二枠部１２３の第二握り部１２１と反対側の一端に連結される。上述した構造特徴により、第一握り部１１１、第一ネック部１１２、第一枠部１１３、第二枠部１２３、第二ネック部１２２および第二握り部１２１は中空状を呈するように連結されて一体になり、内部が相互に繋がる。第一枠部１１３および第二枠部１２３は複数のガット格納溝（図中未表示）を有する。第一枠部１１３および第二枠部１２３にガットを張って打球面（図中未表示）を構成することができる。図３、図６および図７に示すように、第一握り部１１１および第二握り部１２１は中軸線Ａに沿って直線状に伸び、相互に間隔を保つように配置される。第一握り部１１１および第二握り部１２１は帯状連結部材１８によって連結されて一体になる。帯状連結部材１８は階段状構造であり、第一部位１８１および第二部位１８２を有する。第一部位１８１は第一ネック部１１２および第二ネック部１２２の近く配置され、表面が第一ネック部１１２および第二ネック部１２２の外壁面に並んで揃うように配置される。第二部位１８２は第一ネック部１１２および第二ネック部１２２から離れるように配置され、一部分が第一握り部１１１および第二握り部１２１の内側壁面Ｂ（図７参照）に連結されことによって第一握り部１１１および第二握り部１２１の間に隙間ｄを形成する。
【００１５】
図４から図７に示すように、パイプ部材１０は内部にさらに第一スペーサー１３および第二スペーサー１４を有する。第一スペーサー１３および第二スペーサー１４は両端がパイプ部材１０の外側壁面Ｅおよび内側壁面Ｂに別々に連結されることによってパイプ部材１０の内部を第一チャンバーお１５、第二チャンバー１６および中央チャンバー１７を分割する。第一チャンバー１５および第二チャンバー１６は中央チャンバー１７の相対する両側に位置する。図４に示すように、第二枠部１２３において、第一スペーサー１３および第二スペーサー１４は第二枠部１２３の内側壁面Ｂおよび外側壁面Ｅに連結される。第一枠部１１３および第二枠部１２３は内部構造が類似している。図５に示すように、第一ネック部１１２において、内部の第一スペーサー１３および第二スペーサー１４は第一ネック部１１２の内側壁面Ｂおよび外側壁面Ｅに連結される。第二ネック部１２２において、内部の第一スペーサー１３および第二スペーサー１４は第二ネック部１２２の内側壁面Ｂおよび外側壁面Ｅに連結される。図６および図７に示すように、第一握り部１１１において内部の第一スペーサー１３および第二スペーサー１４は第一握り部１１１の内側壁面Ｂおよび外側壁面Ｅに連結される。第二握り部１２１において、内部の第一スペーサー１３および第二スペーサー１４は第二握り部１２１の内側壁面Ｂおよび外側壁面Ｅに連結される。第一スペーサー１３および第二スペーサー１４は構造強度を強化することが役割である。詳しく言えば、第一スペーサー１３および第二スペーサー１４は相互に間隔を保ってパイプ部材１０の内部に配置されることによってテニスラケット１の全体の構造強度を強化する。従って、第一枠部１１３および第二枠部にガットを張る際、第一枠部１１３および第二枠部１２３は強さの比較的大きい張力に耐えられ、捩れ変形が起こりにくい。ボールを打撃する際、第一枠部１１３および第二枠部１２３は瞬間的に増大した衝撃力を分散させ、ボールの安定性を向上させることができる。
【００１６】
第一握り部１１１、第一ネック部１１２、第一枠部１１３、第二枠部１２３、第二ネック部１２２および第二握り部１２１は内部の第一チャンバー１５および第二チャンバー１６が充填材４０で充填される。充填材４０が発泡スチロールから製作されれば振動吸収効果および構造強化効果を果たすことができる。本実施形態において、充填材４０はＰＵから製作されるが、これに限らず、ＥＶＡ樹脂から製作されてもよい。ＥＶＡ樹脂は振動吸収効果が良好であるため、ボールを打撃する際に生じた衝撃力を効果的に減少させることができる。
【００１７】
本実施形態において、充填材４０は第一チャンバー１５および第二チャンバー１６内に充填されるため、テニスラケット１が落水したか湿度の高い環境下で使用される際、水分は中央チャンバー１７に浸透しても第一チャンバー１５および第二チャンバー１６内の充填材４０に吸着して排出されにくいことが原因でテニスラケット１の重量を増加させることがない。従って、テニスラケット１の全体は振動吸収効果および防水効果を兼ね備える。上述した構造特徴により、テニスラケット１全体は強度が高いだけでなく、振動吸収効果および吸水効果を兼ね備えることが判明した。
【００１８】
図３に示すように、アーチ部２０は空洞がないソリッド構造であり、一端が第一枠部１１３に連結され、一端が第二枠部１２３に連結される。テニスラケット１のフェイスは第一枠部１１３、第二枠部１２３およびアーチ部２０によって構成される。
【００１９】
図２に示すように、ハンドルスリーブ３０はプレイする時に握る部位を確保するものであり、中空状を呈し、内部に若干の凸状リブ３１を有する。凸状リブ３１と隙間ｄは相互に対応する。ハンドルスリーブ３０は凸状リブ３１によって第一握り部１１１および第二握り部１２１に被さる。
【００２０】
本実施形態は上述に限定されず、実際の状況に応じて第一スペーサー１３および第二スペーサー１４の長さ、厚さおよび配置位置を変えることができる。
【００２１】
（第２実施形態）
図８は本考案の第２実施形態によるテニスラケット１を示す横断面図である。第２実施形態と第１実施形態との違いは次のとおりである。第２実施形態において、第一握り部１１１の内側壁面Ｂは第二握り部１２１の内側壁面Ｂに連結されるため、第一握り部１１１と第二握り部１２１との間に隙間はない。
【００２２】
以上、本考案は、上記実施形態になんら限定されるものではなく、考案の趣旨を逸脱しない範囲において種々の形態で実施可能である。
【符号の説明】
【００２３】
１：テニスラケット、
１０：パイプ部材、
１１：第一管体、
１１１：第一握り部、
１１２：第一ネック部、
１１３：第一枠部、
１２：第二管体、
１２１：第二握り部、
１２２：第二ネック部、
１２３：第二枠部、
１３：第一スペーサー、
１４：第二スペーサー、
１５：第一チャンバー、
１６：第二チャンバー、
１７：中央チャンバー、
１８：帯状連結部材、
１８１：第一部位、
１８２：第二部位、
２０：アーチ部、
３０：ハンドルスリーブ、
３１：凸状リブ、
４０：充填材、
Ａ：中軸線、
Ｂ：内側壁面、
Ｅ：外側壁面、
ｄ：隙間
【図１】
0003221292.tif 000003
【図２】
0003221292.tif 000004
【図３】
0003221292.tif 000005
【図４】
0003221292.tif 000006
【図５】
0003221292.tif 000007
【図６】
0003221292.tif 000008
【図７】
0003221292.tif 000009
【図８】
0003221292.tif 000010